(57)【要約】【課題】第１導入口から導入される媒体の斜行を抑制できる画像読取装置を提供する。【解決手段】搬送部４０は、第２導入口１２から導入される媒体ＣＡを合流位置Ｊ１を経由して排出口１３に向けて搬送する第１搬送部を有する。第１搬送部は、第１ガイド部１０における第１下側案内面３２Ｇ側、かつ幅方向において経路Ｐ２の内側に設けられ、合流位置Ｊ１より排出口１３側に位置する駆動軸心Ｘ４１周りで回転駆動される駆動ローラ１１０と、第１ガイド部１０における第１上側案内面３１Ｇ側に設けられ、駆動軸心Ｘ４１より排出口１３側に位置する第１従動軸心Ｘ１１１周りで回転可能に支持され、駆動ローラ１１０と第１距離Ｌ１で離間する第１従動ローラ１１１と、第２ガイド部２０における第２案内面３２Ｊとは反対側に設けられ、第２従動軸心Ｘ１１２周りで回転可能に支持され、第２案内面３２Ｊと対向する第２従動ローラ１１２とを有する。【選択図】図１１
2015048162.tif 000002
【特許請求の範囲】
【請求項１】
第１導入口と、前記第１導入口の幅方向の一端側に位置し、かつ前記幅方向の長さが前記第１導入口より小さい第２導入口と、前記第１導入口及び前記第２導入口に連通する排出口とを有する筐体と、
前記筐体に設けられ、前記第１導入口と前記排出口とを繋ぎ、屈曲部分を有する第１ガイド部と、
前記筐体に設けられ、前記第２導入口と、前記第１ガイド部の前記屈曲部分近傍に位置する合流位置とを直線状に繋ぐ第２ガイド部と、
前記筐体内に設けられ、前記合流位置より前記排出口側に位置し、前記合流位置を通過した媒体の画像を読み取る読取部と、
前記筐体に設けられ、前記第１ガイド部及び前記第２ガイド部に案内される媒体を前記排出口まで搬送する搬送部とを備え、
前記第２ガイド部は、前記第２導入口から前記合流位置まで延び、前記第２導入口から導入される媒体に下側から当接可能とされた第２案内面を有し、
前記第１ガイド部は、前記合流位置において前記第２案内面に連続し、前記第２案内面と略同一方向に延び、前記合流位置を通過する媒体に下側から当接可能とされた第１下側案内面と、前記第１下側案内面に対向し、前記合流位置を通過する媒体に上側から当接可能とされた第１上側案内面とを有し、
前記搬送部は、前記第２導入口から導入される媒体を前記合流位置を経由して前記排出口に向けて搬送する第１搬送部を有し、
前記第１搬送部は、前記第１ガイド部における前記第１下側案内面側、かつ前記幅方向において前記第２導入口から前記排出口までの経路の内側に設けられ、前記合流位置より前記排出口側に位置する駆動軸心周りで回転駆動される駆動ローラと、
前記第１ガイド部における前記第１上側案内面側に設けられ、前記駆動軸心より前記排出口側に位置する第１従動軸心周りで回転可能に支持され、前記駆動ローラと第１距離で離間する第１従動ローラと、
前記第２ガイド部における前記第２案内面とは反対側に設けられ、第２従動軸心周りで回転可能に支持され、前記第２案内面と対向する第２従動ローラとを有していることを特徴とする画像読取装置。
【請求項２】
前記第２従動ローラと前記合流位置との距離は、前記第２従動ローラと前記第２導入口との距離より小さい請求項１記載の画像読取装置。
【請求項３】
前記第２従動ローラは、前記合流位置の近傍に位置している請求項２記載の画像読取装置。
【請求項４】
前記第１搬送部は、前記第２従動ローラを前記第２案内面に向けて付勢する付勢機構をさらに有し、
前記第１従動軸心は、前記第１ガイド部に対して固定されている請求項１乃至３のいずれか１項記載の画像読取装置。
【請求項５】
前記付勢機構は、前記筐体に揺動可能に支持される被支持部と、前記被支持部から離間する位置で前記第２従動ローラを回転可能に支持するローラ支持部とが形成されたアームと、前記被支持部を中心として前記第２従動ローラが前記第２案内面に接近する方向のトルクを作用させて前記アームを付勢する付勢部材とを有している請求項４記載の画像読取装置。
【請求項６】
前記付勢部材は、前記被支持部に同軸で配設され、前記第２従動ローラが前記第２案内面に接近する方向に前記アームを付勢する捩じりコイルバネである請求項５記載の画像読取装置。
【請求項７】
前記ローラ支持部は、前記被支持部より前記合流位置に近い位置にあり、
前記アームは、前記第２案内面と対向しつつ傾斜し、前記合流位置に接近するにつれて前記第２案内面に接近する対向面を有している請求項５又は６記載の画像読取装置。
【請求項８】
前記第２従動軸心は、前記対向面を前記合流位置に向けて延長した仮想平面を挟んで前記第２案内面とは反対側に配されている請求項７記載の画像読取装置。
【請求項９】
前記第２従動ローラは、前記付勢機構に付勢されて前記第２案内面に接触している請求項４乃至８のいずれか１項記載の画像読取装置。
【請求項１０】
前記第１従動ローラの外周面の全体は、前記駆動軸心より前記排出口側に位置している請求項１乃至９のいずれか１項記載の画像読取装置。
【請求項１１】
前記第１ガイド部における前記第１上側案内面側には、前記第１従動ローラより前記合流位置側に位置し、前記第１下側案内面に向けて突出するリブが形成され、
前記リブの先端は、前記第１従動軸心より前記第１下側案内面に接近している請求項１乃至１０のいずれか１項記載の画像読取装置。
【発明の詳細な説明】
【技術分野】
【０００１】
本発明は画像読取装置に関する。
【背景技術】
【０００２】
特許文献１に従来の画像読取装置の例が開示されている。この画像読取装置は、筐体と第１ガイド部と第２ガイド部と読取部と搬送部とを備えている。筐体は、第１導入口と第２導入口と排出口とを有している。第２導入口は、第１導入口の幅方向の一端側に位置し、かつ幅方向の長さが第１導入口より小さい。排出口は、第１導入口及び第２導入口に連通している。第１ガイド部は、筐体に設けられている。第１ガイド部は、第１導入口と排出口とを繋ぎ、屈曲部分を有している。第２ガイド部は、筐体に設けられている。第２ガイド部は、第２導入口と、第１ガイド部の屈曲部分近傍に位置する合流位置とを直線状に繋いでいる。読取部は、筐体内に設けられている。読取部は、合流位置より排出口側に位置している。搬送部は、筐体に設けられている。
【０００３】
より詳しくは、第２ガイド部は、第２案内面を有している。第２案内面は、第２導入口から合流位置まで延び、第２導入口から導入される媒体に下側から当接可能とされている。第１ガイド部は、第１下側案内面と第１上側案内面とを有している。第１下側案内面は、合流位置において第２案内面に連続している。第１下側案内面は、第２案内面と略同一方向に延び、合流位置を通過する媒体に下側から当接可能とされている。第１上側案内面は、第１下側案内面に対向し、合流位置を通過する媒体に上側から当接可能とされている。搬送部は、第１搬送部を有している。第１搬送部は、駆動ローラと従動ローラとを有している。駆動ローラは、第１ガイド部における第１下側案内面側、かつ幅方向において第２導入口から排出口までの経路の内側に設けられている。駆動ローラは、合流位置より排出口側に位置する駆動軸心周りで回転駆動される。従動ローラは、第１ガイド部における第１上側案内面側に設けられている。従動ローラは、駆動軸心の真上に位置する従動軸心周りで回転可能に支持されている。従動ローラは、駆動ローラと所定の距離で離間している。
【０００４】
この画像読取装置では、搬送部が第１ガイド部及び第２ガイド部に案内される媒体を排出口まで搬送する。そして、読取部は、合流位置を通過した媒体の画像を読み取る。この際、第１搬送部は、第２導入口から導入される媒体を合流位置を経由して排出口に向けて搬送する。その一方、第１搬送部は、従動軸心が駆動軸心の真上に位置し、従動ローラが駆動ローラと所定の距離で離間していることにより、第１導入口から導入される幅の広い媒体を駆動ローラと従動ローラとによって挟持しないようにしている。こうして、この画像読取装置では、第１導入口から導入される媒体の斜行を抑制している。
【先行技術文献】
【特許文献】
【０００５】
【特許文献１】特開２００８−２８５２５９号公報
【発明の概要】
【発明が解決しようとする課題】
【０００６】
しかし、上記従来の画像読取装置では、第１導入口から導入される幅の広い媒体がカールしていたりすると、従動軸心が駆動軸心の真上に位置する従動ローラに、その媒体における幅方向の一端側が接触し易くなる。カールした媒体の幅方向の一端側が従動ローラに接触した場合、媒体は、搬送方向と反対側に従動ローラから反力を受ける。そのため、第１搬送部の設けられた側が他の部分より搬送されにくく、媒体が斜行する可能性がある。また、カールした媒体の幅方向の一端側が従動ローラに接触した場合、媒体が搬送されるに従い、媒体は厚み方向に湾曲する。この湾曲部分が第１搬送部の駆動ローラに接触した場合、媒体は、駆動ローラと従動ローラとによって挟持されていないにも関わらず、搬送方向に向けて駆動ローラから力を受ける。そのため、媒体が斜行する可能性がある。
【０００７】
本発明は、第１導入口から導入される媒体の斜行を抑制できる画像読取装置を提供することを目的とする。
【課題を解決するための手段】
【０００８】
本発明の画像読取装置は、第１導入口と、前記第１導入口の幅方向の一端側に位置し、かつ前記幅方向の長さが前記第１導入口より小さい第２導入口と、前記第１導入口及び前記第２導入口に連通する排出口とを有する筐体と、
前記筐体に設けられ、前記第１導入口と前記排出口とを繋ぎ、屈曲部分を有する第１ガイド部と、
前記筐体に設けられ、前記第２導入口と、前記第１ガイド部の前記屈曲部分近傍に位置する合流位置とを直線状に繋ぐ第２ガイド部と、
前記筐体内に設けられ、前記合流位置より前記排出口側に位置し、前記合流位置を通過した媒体の画像を読み取る読取部と、
前記筐体に設けられ、前記第１ガイド部及び前記第２ガイド部に案内される媒体を前記排出口まで搬送する搬送部とを備え、
前記第２ガイド部は、前記第２導入口から前記合流位置まで延び、前記第２導入口から導入される媒体に下側から当接可能とされた第２案内面を有し、
前記第１ガイド部は、前記合流位置において前記第２案内面に連続し、前記第２案内面と略同一方向に延び、前記合流位置を通過する媒体に下側から当接可能とされた第１下側案内面と、前記第１下側案内面に対向し、前記合流位置を通過する媒体に上側から当接可能とされた第１上側案内面とを有し、
前記搬送部は、前記第２導入口から導入される媒体を前記合流位置を経由して前記排出口に向けて搬送する第１搬送部を有し、
前記第１搬送部は、前記第１ガイド部における前記第１下側案内面側、かつ前記幅方向において前記第２導入口から前記排出口までの経路の内側に設けられ、前記合流位置より前記排出口側に位置する駆動軸心周りで回転駆動される駆動ローラと、
前記第１ガイド部における前記第１上側案内面側に設けられ、前記駆動軸心より前記排出口側に位置する第１従動軸心周りで回転可能に支持され、前記駆動ローラと第１距離で離間する第１従動ローラと、
前記第２ガイド部における前記第２案内面とは反対側に設けられ、第２従動軸心周りで回転可能に支持され、前記第２案内面と対向する第２従動ローラとを有していることを特徴とする。
【０００９】
本発明の画像読取装置では、第１搬送部が駆動ローラと第１従動ローラと第２従動ローラとを有している。第１従動ローラは、駆動ローラと第１距離で離間することに加え、第１従動軸心が駆動ローラの駆動軸心より排出口側にある位置で駆動ローラと対向している。このため、上記従来の画像読取装置と比較して、第１導入口から導入される幅の広い媒体がカールしていても、その媒体における幅方向の一端側が第１従動ローラに接触し難い。また、第２従動ローラは、第２ガイド部における第２案内面とは反対側に設けられているので、そもそも第１導入口から導入される媒体には接触しない。
【００１０】
したがって、本発明の画像読取装置では、第１導入口から導入される媒体の斜行を抑制できる。
【００１１】
第２従動ローラと合流位置との距離は、第２従動ローラと第２導入口との距離より小さいことが望ましい。この構成によれば、第２従動ローラが駆動ローラに接近するので、第２導入口から導入される媒体に対して、駆動ローラからの駆動力の伝達を一層良好に行える。
【００１２】
第２従動ローラは、合流位置の近傍に位置していることが望ましい。この構成によれば、第２従動ローラが駆動ローラに一層接近するので、第２導入口から導入される媒体に対して、駆動ローラからの駆動力の伝達を一層良好に行える。
【００１３】
第１搬送部は、第２従動ローラを第２案内面に向けて付勢する付勢機構をさらに有していることが望ましい。そして、第１従動軸心は、第１ガイド部に対して固定されていることが望ましい。この構成によれば、第２従動ローラが付勢機構に付勢されて、第２導入口から導入される媒体を第２案内面及び駆動ローラに好適に当接させることができるので、第２導入口から導入される媒体に対して、駆動ローラからの駆動力の伝達を一層良好に行える。
【００１４】
付勢機構は、筐体に揺動可能に支持される被支持部と、被支持部から離間する位置で第２従動ローラを回転可能に支持するローラ支持部とが形成されたアームと、被支持部を中心として第２従動ローラが第２案内面に接近する方向のトルクを作用させてアームを付勢する付勢部材とを有していることが望ましい。この場合、簡素な構成によって、付勢機構を小型化できる。
【００１５】
付勢部材は、被支持部に同軸で配設され、第２従動ローラが第２案内面に接近する方向にアームを付勢する捩じりコイルバネであることが望ましい。この場合、捩じりコイルバネが被支持部に同軸で配設されている構成により、付勢機構を一層小型化できる。
【００１６】
ローラ支持部は、被支持部より合流位置に近い位置にあることが望ましい。そして、アームは、第２案内面と対向しつつ傾斜し、合流位置に接近するにつれて第２案内面に接近する対向面を有していることが望ましい。この構成によれば、対向面により、第２導入口から導入される媒体を第２案内面に接近させるように案内できる。
【００１７】
第２従動軸心は、対向面を合流位置に向けて延長した仮想平面を挟んで第２案内面とは反対側に配されていることが望ましい。この構成によれば、対向面により、第２導入口から導入される媒体を第２従動ローラに引っ掛からないように案内できる。
【００１８】
第２従動ローラは、付勢機構に付勢されて第２案内面に接触していることが望ましい。この構成によれば、第２導入口から導入される媒体が第２従動ローラに付勢されて第２案内面から浮き上がることなく好適に案内される。
【００１９】
第１従動ローラの外周面の全体は、駆動軸心より排出口側に位置していることが望ましい。この構成によれば、第１導入口から導入される媒体がカールしていても、その媒体における幅方向の一端側が第１従動ローラに一層接触し難い。
【００２０】
第１ガイド部における第１上側案内面側には、第１従動ローラより合流位置側に位置し、第１下側案内面に向けて突出するリブが形成されていることが望ましい。そして、リブの先端は、第１従動軸心より第１下側案内面に接近していることが望ましい。この構成によれば、リブにより、第１導入口から導入される媒体及び第２導入口から導入される媒体を第２従動ローラに引っ掛からないように案内できる。
【図面の簡単な説明】
【００２１】
【図１】実施例の画像読取装置に係り、トレイが開放位置にある状態の主に前方を示す斜視図である。
【図２】実施例の画像読取装置に係り、トレイが閉鎖位置にある状態の主に後方を示す斜視図である。
【図３】実施例の画像読取装置に係り、トレイが閉鎖位置にある状態の主に前方を示す斜視図である。
【図４】実施例の画像読取装置に係り、トレイが開放位置にある状態を示す模式上面図である。
【図５】実施例の画像読取装置に係り、図４のＡ−Ａ断面を示す断面図である。
【図６】実施例の画像読取装置に係り、図４のＢ−Ｂ断面であって、トレイが閉鎖位置にある状態を示す断面図である。
【図７】実施例の画像読取装置に係り、第１筐体を開いた状態を示す部分斜視図である。
【図８】実施例の画像読取装置に係り、第１従動ローラ等を残しつつ第１筐体を取り除いた状態を示す部分斜視図である。
【図９】実施例の画像読取装置に係り、カード用駆動ローラ、第１従動ローラ、第２従動ローラ及び付勢機構等を主に示す部分分解斜視図である。
【図１０】実施例の画像読取装置に係り、図９の矢視Ｚ方向から見た部分斜視図である。
【図１１】実施例の画像読取装置に係り、図６の部分拡大断面図である。
【図１２】実施例の画像読取装置に係り、カード用駆動ローラ、第１従動ローラ及び第２従動ローラの相対位置関係を説明する模式図である。
【発明を実施するための形態】
【００２２】
以下、本発明を具体化した実施例を図面を参照しつつ説明する。
【００２３】
（実施例）
図１に示すように、実施例の画像読取装置１は、本発明の画像読取装置の具体的態様の一例である。図１では、排出口１３側を装置の前側と規定し、排出口１３に対向した場合に左手に来る側を左側と規定して、前後、左右及び上下の各方向を表示する。そして、図２以降に示す各方向は、全て図１に示す各方向に対応させて表示する。以下、図１等に基づいて、画像読取装置１が備える各構成要素について説明する。
【００２４】
＜全体構成＞
図１〜図６に示すように、画像読取装置１は、筐体３０と、トレイ３６とを備えている。筐体３０は、第１筐体３１と第２筐体３２とを有している。
【００２５】
第１筐体３１は、第２筐体３２の上側に位置している。第１筐体３１と第２筐体３２とは、上下方向の間隔を有して互いに対向している。第２筐体３２は、第１側壁部３３Ｒと第２側壁部３３Ｌとを有している。第１側壁部３３Ｒは、第２筐体３２の右側面を構成している。第２側壁部３３Ｌは、第２筐体３２の左側面を構成している。第１側壁部３３Ｒと第２側壁部３３Ｌとは、上側に延びて第１筐体３１を左右方向の外側から挟んでいる。
【００２６】
図１及び図５〜図７に示すように、第１筐体３１は、上面３１Ａ、前面３１Ｂ及び上側案内面３１Ｇを有している。上側案内面３１Ｇは、本発明の「第１上側案内面」の一例である。
【００２７】
上面３１Ａは、上側を向く平面である。上面３１Ａは、後側から前側に向かって下り傾斜している。上面３１Ａの中央には、タッチパネル７０が設けられている。前面３１Ｂは、前側を向く平面である。前面３１Ｂは、上面３１Ａの前端縁に連続し、下側に向かって垂直に延びている。上側案内面３１Ｇは、下側を向く屈曲平面である。上側案内面３１Ｇは、上面３１Ａの後端縁の下側から前側に向かって下り傾斜している。上側案内面３１Ｇは、第１筐体３１における前後方向の略中央において水平に向きを変える。上側案内面３１Ｇは、前側に向かって略水平に延びて、前面３１Ｂの下端縁３１ＢＡに連続している。
【００２８】
図１、図２及び図５〜図８に示すように、第２筐体３２は、前面３２Ｂ、下側案内面３２Ｇ及び後面３２Ｃを有している。下側案内面３２Ｇは、本発明の「第１下側案内面」の一例である。
【００２９】
前面３２Ｂは、前側を向く平面である。前面３２Ｂの上端縁３２ＢＡは、前面３１Ｂの下端縁３１ＢＡに対して、隙間を有して下側に離間している。前面３２Ｂは、下側に向かって垂直に延びている。下側案内面３２Ｇは、上側を向く屈曲平面である。下側案内面３２Ｇは、後面３２Ｃの上端縁の上側から上側案内面３１Ｇに沿うように、前側に向かって下り傾斜している。下側案内面３２Ｇは、第２筐体３２における前後方向の中央において水平に向きを変える。下側案内面３２Ｇは、前側に向かって水平に延びて、前面３２Ｂの上端縁３２ＢＡに連続している。後面３２Ｃは、後側を向く平面である。後面３２Ｃは、下側に向かって略垂直に延びている。
【００３０】
図２及び図６〜図８に示すように、第２筐体３２は、下側カード案内面３２Ｊ及び上側カード案内面３２Ｈを有している。下側カード案内面３２Ｊは、本発明の「第２案内面」の一例である。
【００３１】
下側カード案内面３２Ｊは、下側案内面３２Ｇの水平部分における右端部に連続し、後側に向かって水平に延びて後面３２Ｃまで達している。上側カード案内面３２Ｈは、下側カード案内面３２Ｊに対して上側に離間している。上側カード案内面３２Ｈは、下側カード案内面３２Ｊと平行に、後側に向かって水平に延びて後面３２Ｃまで達している。上側カード案内面３２Ｈの上下方向の位置は、上側案内面３１Ｇの水平部分の上下方向の位置とほぼ同じである。
【００３２】
なお、上側案内面３１Ｇ、下側案内面３２Ｇ、上側カード案内面３２Ｈ及び下側カード案内面３２Ｊは、平滑な平面からなる構成に限定されず、複数のリブの先端縁等によって構成されていてもよい。
【００３３】
図４、図６及び図８に示すように、下側カード案内面３２Ｊが下側案内面３２Ｇの水平部分における右端部に連続する位置を合流位置Ｊ１とする。
【００３４】
図１及び図４〜図６に示すように、筐体３０には、第１導入口１１と排出口１３とが形成されている。第１導入口１１に、シートＳＨが挿入される。シートＳＨは、例えば、用紙やＯＨＰシート等である。シートＳＨは、本発明の「媒体」の一例である。シートＳＨは、例えば、幅の広いものではレターサイズやＡ４サイズの用紙等であり、幅の狭いものでは葉書等である。なお、幅の狭い名刺やカード等については、屈曲平面である上側案内面３１Ｇ及び下側案内面３２Ｇに沿って案内されることが可能な程度に薄く曲り易い場合には、シートＳＨに含まれる。
【００３５】
より詳しくは、図５に示すように、第１導入口１１は、第１筐体３１と第２筐体３２との間に形成されている。第１導入口１１は、上側案内面３１Ｇの後端縁３１ＧＡと、下側案内面３２Ｇの後端縁３２ＧＡとの隙間である。図１に示すように、第１導入口１１は、右側の第１側壁部３３Ｒの近傍から左側の第２側壁部３３Ｌの近傍まで、左右方向に延びている。第１導入口１１の左右方向の長さは、シートＳＨの幅よりも長く設定されている。
【００３６】
本実施例では、第１導入口１１の幅方向は、左右方向である。第１導入口１１の幅方向の一端側は、第１導入口１１の右端側である。第１導入口１１の幅方向の他端側は、第１導入口１１の左端側である。
【００３７】
図１及び図５に示すように、排出口１３からシートＳＨが排出される。排出口１３は、第１筐体３１と第２筐体３２との間に形成されている。より詳しくは、排出口１３は、前面３１Ｂの下端縁３１ＢＡと、前面３２Ｂの上端縁３２ＢＡとの隙間である。排出口１３は、右側の第１側壁部３３Ｒの近傍から左側の第２側壁部３３Ｌの近傍まで、左右方向に延びている。排出口１３の左右方向の長さは、第１導入口１１と同様、シートＳＨの幅よりも長く設定されている。
【００３８】
図４〜図６に示すように、画像読取装置１は、第１ガイド部１０を備えている。第１ガイド部１０は、第１筐体３１及び第２筐体３２に設けられている。第１ガイド部１０は、第１筐体３１の上側案内面３１Ｇと、第２筐体３２の下側案内面３２Ｇとに上下方向から挟まれてなる通路である。換言すると、第１ガイド部１０は、下側案内面３２Ｇと上側案内面３１Ｇとを有している。第１ガイド部１０は、図４〜図６に示す第１搬送経路Ｐ１を形成している。第１ガイド部１０は、第１搬送経路Ｐ１に沿って、シートＳＨを後側の第１導入口１１から前側の排出口１３へ案内する。
【００３９】
図５及び図６に示すように、第１ガイド部１０は、第１導入口１１から前側に向かって下り傾斜している。第１ガイド部１０は、筐体３０における前後方向の中央において屈曲して前側に向きを変更する屈曲部分を有している。そして、第１ガイド部１０は、屈曲部分から排出口１３まで水平に延びている。
【００４０】
図７に示すように、第２筐体３２は、開閉軸心Ｘ３１周りで開閉可能に第１筐体３１を支持している。開閉軸心Ｘ３１は、第１筐体３１の前面３１Ｂの下端縁３１ＢＡ側、すなわち、排出口１３の近傍に位置して左右方向に延びている。第１筐体３１が第２筐体３２に対して上方に離間するように揺動することにより、第１ガイド部１０が開放される。
【００４１】
図２、図４、図６及び図７に示すように、筐体３０には、第２導入口１２が形成されている。第２導入口１２に、幅の狭いカードＣＡが挿入される。カードＣＡは、小面積の枚葉である。カードＣＡは、例えば、名刺、キャッシュカード、会員証又は免許証等である。カードＣＡも、本発明の「媒体」の一例である。
【００４２】
より詳しくは、図４及び図６に示すように、第２導入口１２は、第２筐体３２の後面３２Ｃに貫通して形成されている。第２導入口１２は、後面３２Ｃにおける上下方向の中間部、かつ第１側壁部３３Ｒ側に開口している。第２導入口１２は、左右方向に延びている。第２導入口１２の左右方向の長さは、第１導入口１１の左右方向の長さよりも小さく形成されている。また、第２導入口１２の左右方向の長さは、カードＣＡの幅よりも長く設定されている。第２導入口１２の上下方向の位置は、第１ガイド部１０の水平部分及び排出口１３の上下方向の位置とほぼ同じである。第２導入口１２は、第１導入口１１の右端側と上下方向において重なる位置にある。
【００４３】
図３及び図６に示すように、排出口１３の右端側から、カードＣＡが排出される。要するに、排出口１３からは、第１導入口１１から挿入されたシートＳＨ及び第２導入口１２から挿入されたカードＣＡが共通して排出される。
【００４４】
図４及び図６に示すように、画像読取装置１は、第２ガイド部２０を備えている。第２ガイド部２０は、第２筐体３２に設けられている。第２ガイド部２０は、第２筐体３２の上側カード案内面３２Ｈと下側カード案内面３２Ｊとに上下方向から挟まれて直線状に延びる通路である。換言すると、第２ガイド部２０は、上側カード案内面３２Ｈと下側カード案内面３２Ｊとを有している。第２ガイド部２０は、合流位置Ｊ１において、第１ガイド部１０に合流する。
【００４５】
第２ガイド部２０が第１ガイド部１０に合流する合流位置Ｊ１は、第１ガイド部１０の屈曲部分の近傍、すなわち、上側案内面３１Ｇ及び下側案内面３２Ｇの前側から後側に向かって下り傾斜する部分から水平に向きを変える屈曲部分に設定されている。
【００４６】
図４に示すように、第１ガイド部１０の右端側において、第２ガイド部２０の左右方向の幅と同じ幅で合流位置Ｊ１から排出口１３まで延びる領域をカード搬送領域２９とする。第２ガイド部２０と、カード搬送領域２９とは、図４及び図６に示す第２搬送経路Ｐ２を形成している。第２搬送経路Ｐ２は、後側の第２導入口１２から前側の排出口１３の右端側まで水平に延びている。第２搬送経路Ｐ２は、本発明の「第２導入口から排出口までの経路」の一例である。
【００４７】
第２ガイド部２０は、第２導入口１２から挿入されたカードＣＡを第２搬送経路Ｐ２に沿って第１ガイド部１０に合流するように案内する。この際、下側カード案内面３２Ｊは、第２導入口１２から導入されるカードＣＡに下側から当接可能とされている。そして、第１ガイド部１０のカード搬送領域２９は、そのカードＣＡを第２搬送経路Ｐ２に沿って排出口１３の右端側へ案内する。この際、下側案内面３２Ｇは、合流位置Ｊ１を通過するカードＣＡに下側から当接可能とされている。上側案内面３１Ｇは、合流位置Ｊ１を通過するカードＣＡに上側から当接可能とされている。
【００４８】
図１〜図３等に示すように、トレイ３６は、基部３６Ａ、中間部３６Ｂ及び先端部３６Ｃを有している。基部３６Ａは、左右方向に延びる開閉軸心Ｘ３６Ａ周りに揺動可能に第１側壁部３３Ｒ及び第２側壁部３３Ｌに支持されている。中間部３６Ｂは、基部３６Ａの開閉軸心Ｘ３６Ａから遠い端縁側において、基部３６Ａに連結されている。先端部３６Ｃは、中間部３６Ｂの基部３６Ａから遠い端縁側において、中間部３６Ｂに連結されている。中間部３６Ｂの中央には、操作開口３９が矩形状に開口している。
【００４９】
トレイ３６が図１、図４及び図５に示す開放位置にある状態では、基部３６Ａ、中間部３６Ｂ及び先端部３６Ｃが下側案内面３２Ｇの傾斜部分に連続するように後側に向かって上り傾斜し、第１導入口１１を開放している。この状態において、基部３６Ａ、中間部３６Ｂ及び先端部３６Ｃの上側を向く面は、保持面３６Ｈを構成している。ユーザがトレイ３６に１枚又は複数枚のシートＳＨを載置すると、保持面３６ＨがそのシートＳＨを下側から保持する。
【００５０】
一方、トレイ３６が図２、図３及び図６に示す閉鎖位置にある状態では、基部３６Ａが垂直になって第２筐体３２の後面３２Ｃと面一になる。中間部３６Ｂが第１筐体３１の上面３１Ａを上側から覆う。先端部３６Ｃが第１筐体３１の前面３１Ｂを前側から覆う。この状態において、操作開口３９は、タッチパネル７０を外部に露出させている。
【００５１】
図１、図５及び図８に示すように、画像読取装置１は、左右一対の規制部３６Ｇを備えている。各規制部３６Ｇは、左右方向に摺動可能に基部３６Ａに設けられて、保持面３６Ｈ上に突出している。各規制部３６Ｇは、基部３６Ａ内に配された図示しないラック＆ピニオン機構に連結されている。各規制部３６Ｇは、トレイ３６の保持面３６Ｈに保持されて第１導入口１１に導入されるシートＳＨを左右方向の外側から挟んで左右方向の位置決めを行う。この際、各規制部３６Ｇは、ラック＆ピニオン機構によって連動し、第１導入口１１における左右方向の中央基準でシートＳＨを位置決めする。図１は、各規制部３６Ｇが左右方向において最も離間した状態を示している。この状態では、各規制部３６Ｇは、レターサイズのシートＳＨを第１導入口１１における左右方向の中央基準で位置決めする。
【００５２】
図４〜図６に示すように、画像読取装置１は、回路基板５４と駆動源４０Ｍと搬送部４０と読取部５５とを備えている。
【００５３】
図５及び図６に示すように、回路基板５４は、第２筐体３２の底部に配されている。回路基板５４は、ＣＰＵ、ＲＯＭ及びＲＡＭ等からなる制御回路を有している。回路基板５４には、ＡＣアダプタ及び給電コードを介して、家庭用コンセントから電力が供給される。回路基板５４は、駆動源４０Ｍ、読取部５５、タッチパネル７０等に電気的に接続され、適宜それらに電力を供給して制御を行う。
【００５４】
図４に示すように、駆動源４０Ｍは、第２筐体３２内における第２側壁部３３Ｌ側に設けられている。駆動源４０Ｍは、図示しないモータ及び伝達ギヤ群を有している。駆動源４０Ｍは、回路基板５４に制御されることにより駆動力を発生する。
【００５５】
図４〜図８に示すように、搬送部４０は、分離ローラ４８、分離パッド４９、上流側搬送部４１及び下流側搬送部４２を有している。読取部５５は、第１読取部５５Ａ及び第２読取部５５Ｂを有している。これらは、第１ガイド部１０において、後側から前側から向かって、すなわちシートＳＨの搬送方向の上流側から下流側に向かって、分離ローラ４８及び分離パッド４９、上流側搬送部４１、第２読取部５５Ｂ、第１読取部５５Ａ、下流側搬送部４２という順番で配されている。以下、この順番で、これらの構成を説明する。
【００５６】
図４、図５、図７及び図８に示すように、分離ローラ４８は、第２筐体３２内に回転可能に支持されている。分離ローラ４８の上部は、下側案内面３２Ｇの傾斜部分から第１ガイド部１０に露出している。分離ローラ４８は、第１ガイド部１０における左右方向の中央部に配されている。
【００５７】
分離ローラ４８は、回路基板５４が駆動源４０Ｍを制御することにより、駆動源４０Ｍに回転駆動される。分離ローラ４８は、トレイ３６の保持面３６Ｈに保持されたシートＳＨに当接しつつ回転することにより、そのシートＳＨを第１ガイド部１０に送り出す。
【００５８】
図５及び図７に示すように、分離パッド４９は、第１筐体３１に組み付けられている。分離パッド４９は、上側案内面３１Ｇにおいて第１ガイド部１０に露出している。分離パッド４９は、ゴムやエラストマー等の摩擦部材からなる板状体である。分離パッド４９は、図示しない付勢部材に付勢されて、分離ローラ４８に押し付けられている。これにより、分離ローラ４８と分離パッド４９とは、第１ガイド部１０において搬送されるシートＳＨを挟んで一枚ずつ分離し得る。
【００５９】
図４〜図１１に示すように、上流側搬送部４１は、上流側駆動ローラ４１１、４１２とカード用駆動ローラ１１０と上流側従動ローラ４１５、４１６と第１従動ローラ１１１と第２従動ローラ１１２と付勢機構１７０とを有している。カード用駆動ローラ１１０と第１従動ローラ１１１と第２従動ローラ１１２と付勢機構１７０とは、本発明の「第１搬送部」を構成している。カード用駆動ローラ１１０は、本発明の「駆動ローラ」の一例である。
【００６０】
上流側駆動ローラ４１１、４１２とカード用駆動ローラ１１０とは、第１ガイド部１０における下側案内面３２Ｇ側、すなわち第２筐体３２に設けられて、合流位置Ｊ１と第２読取部５５Ｂとの間に位置している。上流側駆動ローラ４１１、４１２とカード用駆動ローラ１１０とは、上流側駆動軸４１Ｓに固定されている。上流側駆動軸４１Ｓは、駆動源４０Ｍから右側の第１側壁部３３Ｒの近傍まで左右方向に延びている。上流側駆動軸４１Ｓは、合流位置Ｊ１と第２読取部５５Ｂとの間に位置して左右方向に延びる駆動軸心Ｘ４１を中心軸としている。
【００６１】
カード用駆動ローラ１１０は、第１ガイド部１０の右端側、かつ第２搬送経路Ｐ２の内側に位置している。上流側駆動ローラ４１１、４１２は、カード用駆動ローラ１１０より左右方向の中央側、かつ第２搬送経路Ｐ２の外側に位置している。上流側駆動ローラ４１１は、分離ローラ４８より左側に位置している。上流側駆動ローラ４１２は、分離ローラ４８より右側に位置している。上流側駆動ローラ４１１、４１２とカード用駆動ローラ１１０とは、駆動源４０Ｍの駆動力が上流側駆動軸４１Ｓを介して伝達されることにより駆動軸心Ｘ４１周りで回転駆動される。
【００６２】
図５及び図８に示すように、上流側従動ローラ４１５、４１６は、第１ガイド部１０における上側案内面３１Ｇ側、すなわち第１筐体３１に設けられている。上流側従動ローラ４１５、４１６はそれぞれ、対応する上流側駆動ローラ４１１、４１２の真上に位置して、上流側駆動ローラ４１１、４１２と対向している。上流側従動ローラ４１５、４１６は、図示しない付勢バネに付勢されて、上流側駆動ローラ４１１、４１２に押し付けられている。そして、第１ガイド部１０に案内されるシートＳＨを上流側駆動ローラ４１１、４１２と上流側従動ローラ４１５、４１６とが挟持し、搬送力を伝達する。
【００６３】
図６〜図９及び図１１に示すように、第１従動ローラ１１１は、第１ガイド部１０における上側案内面３１Ｇ側、すなわち第１筐体３１に設けられている。第１従動ローラ１１１は、上流側従動ローラ４１５、４１６より小径である。図８及び図９に示すように、第１従動ローラ１１１の左右両端面には、第１従動軸１１１Ｓが突出するように設けられている。図１１及び図１２に示すように、第１従動軸１１１Ｓは、第１ガイド部１０に対して固定されて左右方向に延びる第１従動軸心Ｘ１１１を中心軸として、第１筐体３１に回転可能に支持されている。
【００６４】
図１２に示すように、カード用駆動ローラ１１０の外周面１１０Ａと第１従動ローラ１１１の外周面１１１Ａとの間には、第１距離Ｌ１の隙間が形成されている。第１従動軸心Ｘ１１１は、駆動軸心Ｘ４１より第２距離Ｌ２だけ前側に位置している。要するに、第１従動ローラ１１１は、駆動軸心Ｘ４１より排出口１３側に位置する第１従動軸心Ｘ１１１周りで回転可能に第１筐体３１に支持されて、カード用駆動ローラ１１０と第１距離Ｌ１で離間している。第１従動ローラ１１１の外周面１１１Ａの全体も、駆動軸心Ｘ４１より第３距離Ｌ３だけ前側、すなわち駆動軸心Ｘ４１より排出口１３側に位置している。
【００６５】
第１距離Ｌ１は、第２搬送経路Ｐ２の内側を通過する程度に幅の広いシートＳＨの厚みＴ１より大きくされている。これにより、カード用駆動ローラ１１０と第１従動ローラ１１１とは、そのシートＳＨを挟持しないようになっている。
【００６６】
第１従動ローラ１１１の外周面１１１Ａの下側に接し、下側カード案内面３２Ｊ及び下側案内面３２Ｇと平行に延びる接線Ｓ１は、カード用駆動ローラ１１０の外周面１１０Ａに対して第４距離Ｌ４だけ上側に離間している。第４距離Ｌ４は、第２搬送経路Ｐ２において搬送されるカードＣＡの厚みＴ２より小さくされている。これにより、カード用駆動ローラ１１０と第１従動ローラ１１１とは、そのカードＣＡを挟持して搬送力を伝達する。なお、第１距離Ｌ１だけでなく、第４距離Ｌ４も第２搬送経路Ｐ２の内側を通過する程度に幅の広いシートＳＨの厚みＴ１より大きくされていることが好ましい。これにより、カード用駆動ローラ１１０と第１従動ローラ１１１とは、そのシートＳＨを確実に挟持しないようになる。
【００６７】
図７及び図１１に示すように、第１ガイド部１０における上側案内面３１Ｇ側には、複数のリブ１８０が形成されている。各リブ１８０は、第１従動ローラ１１１より後側、すなわち、第１従動ローラ１１１より合流位置Ｊ１側に位置して、左右方向に並んでいる。図１１に示すように、各リブ１８０は、下側案内面３２Ｇに向けて突出している。各リブ１８０の下側を向く端縁は、前側に向かう程下り傾斜している。各リブ１８０の先端１８０Ｔは、第１従動軸心Ｘ１１１より下側案内面３２Ｇに接近している。
【００６８】
図６及び図８〜図１１に示すように、第２従動ローラ１１２及び付勢機構１７０は、第２ガイド部２０における下側カード案内面３２Ｊとは反対側、すなわち上側カード案内面３２Ｈ側に設けられている。より詳しくは、第２筐体３２は、下側シュート部材３２Ｓを有している。下側シュート部材３２Ｓの上側を向く面は、下側案内面３２Ｇの傾斜部分を構成している。図１０及び図１１に示すように、下側シュート部材３２Ｓの下側を向く面は、上側カード案内面３２Ｈを構成している。上側カード案内面３２Ｈは、下向きに突出する複数のリブの下端縁や下側を向く平面等によって形成されており、それらのリブの間に形成されたスペースに第２従動ローラ１１２及び付勢機構１７０が収容されている。
【００６９】
図９〜図１１に示すように、付勢機構１７０は、取り付け部材１７７とアーム１７１と捩じりコイルバネ１７９とを有している。捩じりコイルバネ１７９は、本発明の「付勢部材」の一例である。
【００７０】
取り付け部材１７７は、下側シュート部材３２Ｓにネジ止めされている。なお、取り付け部材１７７は、下側シュート部材３２Ｓに一体成形され得る。
【００７１】
アーム１７１には、被支持部１７２とローラ支持部１７３とが形成されている。被支持部１７２は、左右方向に延びる揺動軸心Ｘ１７１周りで揺動可能に取り付け部材１７７に支持されている。ローラ支持部１７３は、被支持部１７２から前側かつ下側に離間する位置、すなわち被支持部１７２より合流位置Ｊ１に近い位置にある。ローラ支持部１７３は、第２従動ローラ１１２を左右方向に延びる第２従動軸心Ｘ１１２周りで回転可能に支持している。
【００７２】
図１１に示すように、第２従動ローラ１１２は、下側カード案内面３２Ｊと対向している。第２従動ローラ１１２と合流位置Ｊ１との距離Ｌ２１は、第２従動ローラ１１２と第２導入口１２との距離Ｌ２２より小さい。第２従動ローラ１１２は、合流位置Ｊ１の近傍に位置している。
【００７３】
捩じりコイルバネ１７９は、被支持部１７２と同じ揺動軸心Ｘ１７１を中心軸として、アーム１７１と取り付け部材１７７との間に配設されている。捩じりコイルバネ１７９は、揺動軸心Ｘ１７１を中心として第２従動ローラ１１２が下側カード案内面３２Ｊに接近する方向に作用するトルク、すなわち右向き（図１１において紙面に対して垂直上向き方向）のトルクをアーム１７１に作用させて、アーム１７１を付勢する。このような付勢機構１７０に付勢されて、第２従動ローラ１１２は、下側カード案内面３２Ｊに接触している。
【００７４】
図１０及び図１１に示すように、アーム１７１は、対向面１７１Ａを有している。対向面１７１Ａは、下側カード案内面３２Ｊと対向しつつ傾斜し、合流位置Ｊ１に接近するにつれて下側カード案内面３２Ｊに接近している。図１１に示すように、対向面１７１Ａを合流位置Ｊ１に向けて延長した仮想平面Ｋ１を想定する。すると、第２従動軸心Ｘ１１２は、仮想平面Ｋ１を挟んで下側カード案内面３２Ｊとは反対側に配されている。
【００７５】
第２読取部５５Ｂは、第２筐体３２に組み付けられている。より具体的には、第２読取部５５Ｂは、Ｃｏｎｔａｃｔ  Ｉｍａｇｅ  Ｓｅｎｓｏｒ（以後、「ＣＩＳ」と略す）、ＣＩＳホルダ及びコンタクトガラス等を備える。第２読取部５５Ｂの上面は、下側案内面３２Ｇの水平部分において第１ガイド部１０に露出している。
【００７６】
第１読取部５５Ａは、第１筐体３１に組み付けられている。より具体的には、第１読取部５５Ａは、ＣＩＳ、ＣＩＳホルダ及びコンタクトガラス等を備える。第１読取部５５Ａの下面は、上側案内面３１Ｇの水平部分において第１ガイド部１０に露出している。
【００７７】
図４に示すように、第１読取部５５Ａ及び第２読取部５５Ｂは、右側の第１側壁部３３Ｒの近傍から、左側の第２側壁部３３Ｌの近傍まで左右方向に延びている。図４〜図６に示すように、第１読取部５５Ａ及び第２読取部５５Ｂは、カード搬送領域２９を含む第１ガイド部１０全体を上下方向から挟むように対向している。
【００７８】
上記構成により、第１読取部５５Ａ及び第２読取部５５Ｂは、シートＳＨが第１ガイド部１０において搬送される場合、そのシートＳＨの両面の画像を読み取る。また、第１読取部５５Ａ及び第２読取部５５Ｂは、第２ガイド部２０に案内されて第１ガイド部１０に合流したカードＣＡがカード搬送領域２９において搬送される場合、そのカードＣＡの両面の画像を読み取る。
【００７９】
図４〜図８に示すように、下流側搬送部４２は、下流側駆動ローラ４２１、４２２、４２３、４２４と下流側従動ローラ４２５、４２６、４２７、４２８とを有している。
【００８０】
下流側駆動ローラ４２１、４２２、４２３、４２４は、第１ガイド部１０における下側案内面３２Ｇ側、すなわち第２筐体３２に設けられて、第１読取部５５Ａと排出口１３との間に位置している。下流側駆動ローラ４２１、４２２、４２３、４２４は、下流側駆動軸４２Ｓに固定されている。下流側駆動軸４２Ｓは、駆動源４０Ｍから右側の第１側壁部３３Ｒの近傍まで左右方向に延びている。下流側駆動ローラ４２３は、第１ガイド部１０の右端側、かつ第２搬送経路Ｐ２の内側に位置している。下流側駆動ローラ４２１、４２２は、下流側駆動ローラ４２３より左右方向の中央側、かつ第２搬送経路Ｐ２の外側に位置している。下流側駆動ローラ４２４は、第１ガイド部１０の左端側、かつ下流側駆動ローラ４２１より左側に位置している。下流側駆動ローラ４２１、４２２、４２３、４２４は、駆動源４０Ｍの駆動力が下流側駆動軸４２Ｓを介して伝達されることにより回転駆動される。
【００８１】
下流側従動ローラ４２５、４２６、４２７、４２８は、第１ガイド部１０における上側案内面３１Ｇ側、すなわち第１筐体３１に設けられている。下流側従動ローラ４２５、４２６、４２７、４２８はそれぞれ、対応する下流側駆動ローラ４２１、４２２、４２３、４２４の真上に位置して、下流側駆動ローラ４２１、４２２、４２３、４２４と対向している。下流側従動ローラ４２５、４２６、４２７、４２８は、図示しない付勢バネに付勢されて、下流側駆動ローラ４２１、４２２、４２３、４２４に押し付けられている。そして、第１ガイド部１０に案内されるシートＳＨを下流側駆動ローラ４２１、４２２、４２３、４２４と下流側従動ローラ４２５、４２６、４２７、４２８とが挟持し、搬送力を伝達する。また、カード搬送領域２９において搬送されるカードＣＡを下流側駆動ローラ４２３と下流側従動ローラ４２７とが挟持し、搬送力を伝達する。
【００８２】
図１及び図５に示すように、タッチパネル７０は、第１筐体３１の内部における上面３１Ａ側に組み付けられている。タッチパネル７０は、上面３１Ａにくり抜かれた矩形状のタッチパネル用開口３１Ｈにより外部に露出している。タッチパネル７０は、液晶パネルと、液晶パネルの背面側から光を照射する蛍光ランプやＬＥＤ等の光源と、液晶パネルの表面に貼り合わされた接触感知膜とを有している。
【００８３】
タッチパネル７０は、回路基板５４に制御されて、画像読取動作の処理状況やエラー状況等である画像読取装置１の稼働状況等を表示する。また、タッチパネル７０は、外部からの操作を受け付ける。具体的には、タッチパネル７０は、例えば、画像読取を開始するためのボタンや、設定入力用のボタン等の各種のボタンを表示する。そして、ユーザがいずれかのボタンに対応する処理の実行指示や設定入力を行うために、タッチパネル７０に触れると、タッチパネル７０は、その操作を受け付けて、回路基板５４に伝達する。
【００８４】
＜シート及びカードの画像読取動作＞
この画像読取装置１では、以下のようにして、シートＳＨ及びカードＣＡの画像が読み取られる。
【００８５】
図１及び図５に示すように、シートＳＨの画像が読み取られる場合、ユーザにより、トレイ３６が開放位置にある状態とされる。トレイ３６が開放位置にある状態であれば、その状態が維持される。そして、ユーザにより、トレイ３６にシートＳＨが載置される。回路基板５４は、タッチパネル７０からシートＳＨの読取指示があった場合等に、図示しないシート検出センサによってトレイ３６の保持面３６ＨにシートＳＨが保持されていることを確認した上で、シートＳＨの画像読取動作を開始する。
【００８６】
そうすると、回路基板５４は、駆動源４０Ｍに駆動力を発生させるように制御する。これにより、まず、分離ローラ４８が分離パッド４９とシートＳＨを挟みながら回転する。分離ローラ４８は、トレイ３６上のシートＳＨを第１導入口１１から導入し、シートＳＨを第１ガイド部１０に送り出す。この際、複数枚のシートＳＨが重なった状態で搬送されようとしている場合、分離パッド４９とシートＳＨとの間の摩擦力などにより、シートＳＨが一枚ずつ分離され得る。
【００８７】
次に、上流側搬送部４１の上流側駆動ローラ４１１、４１２及び上流側従動ローラ４１５、４１６によって、分離ローラ４８に送り出されたシートＳＨを第１ガイド部１０において搬送する。この際、第１従動ローラ１１１がカード用駆動ローラ１１０と第１距離Ｌ１で離間していることにより、シートＳＨの右端側は、カード用駆動ローラ１１０と第１従動ローラ１１１とに挟持されない。このため、カード用駆動ローラ１１０及び第１従動ローラ１１１からシートＳＨの右端側に搬送力が伝達されない。
【００８８】
第１ガイド部１０において搬送されるシートＳＨの両面の画像が第１読取部５５Ａ及び第２読取部５５Ｂにより読み取られる。画像が読み取られたシートＳＨは、下流側搬送部４２の下流側駆動ローラ４２１、４２２、４２３、４２４及び下流側従動ローラ４２５、４２６、４２７、４２８によって、排出口１３から筐体３０の外部に排出される。
【００８９】
一方、図２、図３及び図６に示すように、カードＣＡの画像が読み取られる場合、ユーザにより、トレイ３６が閉鎖位置にある状態とされる。トレイ３６が閉鎖位置にある状態であれば、その状態が維持される。そして、図２に示すように、ユーザにより、カードＣＡが筐体３０の後側から第２導入口１２に差し込まれる。そうすると、カードＣＡは、第２ガイド部２０を通過し、その先端がカード搬送領域２９に到達する。この際、付勢機構１７０が付勢された第２従動ローラ１１２がカードＣＡの上面に当接しながら回転し、カードＣＡを下側カード案内面３２Ｊに押し付ける。回路基板５４は、タッチパネル７０からカードＣＡの読取指示があった場合等に、図示しないカード検出センサによって第２導入口１２からカードＣＡが挿入されていることを確認した上で、カードＣＡの画像読取動作を開始する。
【００９０】
そうすると、回路基板５４は、駆動源４０Ｍに駆動力を発生させるように制御する。これにより、上流側搬送部４１のカード用駆動ローラ１１０、第１従動ローラ１１１及び第２従動ローラ１１２は、合流位置Ｊ１を経由して排出口１３の右端側に向かうように、第２搬送経路Ｐ２の内側においてカードＣＡを搬送する。すると、第１読取部５５Ａ及び第２読取部５５Ｂにより、そのカードＣＡの両面の画像が読み取られる。図３に示すように、画像が読み取られたカードＣＡは、下流側搬送部４２の下流側駆動ローラ４２３及び下流側従動ローラ４２７によって、排出口１３の右端側から筐体３０の外部に排出される。
【００９１】
＜作用効果＞
実施例の画像読取装置１では、図１１及び図１２に示すように、第１従動ローラ１１１は、カード用駆動ローラ１１０と第１距離Ｌ１で離間することに加え、第１従動軸心Ｘ１１１がカード用駆動ローラ１１０の駆動軸心Ｘ４１より排出口１３側にある位置でカード用駆動ローラ１１０と対向している。特に、本実施例では、第１従動ローラ１１１の外周面１１１Ａの全体も、駆動軸心Ｘ４１より排出口１３側に位置している。このため、第１導入口１１から導入されて第２搬送経路Ｐ２の内側を通過する程度に幅の広いシートＳＨがカールしていても、そのシートＳＨにおける右端側は、上記従来の画像読取装置と比較して、第１従動ローラ１１１に接触し難い。このため、そのシートＳＨの右端側に搬送抵抗が作用することを抑制できる。また、第２従動ローラ１１２は、第２ガイド部２０における上側カード案内面３２Ｈ側に設けられているので、そもそも第１導入口１１から導入されるシートＳＨには接触しない。
【００９２】
したがって、実施例の画像読取装置１では、第１導入口１１から導入されるシートＳＨの斜行を抑制できる。
【００９３】
また、この画像読取装置１では、図１１に示すように、第２従動ローラ１１２と合流位置Ｊ１との距離Ｌ２１は、第２従動ローラ１１２と第２導入口１２との距離Ｌ２２より小さい。さらに、第２従動ローラ１１２は、合流位置Ｊ１の近傍に位置している。これにより、この画像読取装置１では、第２従動ローラ１１２がカード用駆動ローラ１１０に接近するので、カード用駆動ローラ１１０と第２従動ローラ１１２とが共にカードＣＡに当接する区間を長くできる。その結果、この画像読取装置１では、第２導入口１２から導入されるカードＣＡに対して、カード用駆動ローラ１１０からの駆動力の伝達を一層良好に行える。
【００９４】
さらに、この画像読取装置１では、第２従動ローラ１１２が付勢機構１７０に付勢されて、第２導入口１２から導入されるカードＣＡを下側カード案内面３２Ｊ及びカード用駆動ローラ１１０に好適に当接させることができるので、第２導入口１２から導入されるカードＣＡに対して、カード用駆動ローラ１１０からの駆動力の伝達を一層良好に行える。
【００９５】
また、この画像読取装置１では、被支持部１７２とローラ支持部１７３とが形成されたアーム１７１と、アーム１７１を付勢する捩じりコイルバネ１７９からなる簡素な構成によって、付勢機構１７０を小型化できる。
【００９６】
さらに、この画像読取装置１では、捩じりコイルバネ１７９が被支持部１７２に同じ揺動軸心Ｘ１７１を中心軸として配設されている構成により、付勢機構１７０を一層小型化できる。
【００９７】
また、この画像読取装置１では、アーム１７１に形成された対向面１７１Ａが下側カード案内面３２Ｊと対向しつつ傾斜し、合流位置Ｊ１に接近するにつれて下側カード案内面３２Ｊに接近するので、その対向面１７１Ａにより、第２導入口１２から導入されるカードＣＡを下側カード案内面３２Ｊに接近させるように案内できる。
【００９８】
さらに、この画像読取装置１では、第２従動軸心Ｘ１１２が仮想平面Ｋ１を挟んで下側カード案内面３２Ｊとは反対側に配されているので、仮想平面Ｋ１の元である対向面１７１Ａにより、第２導入口１２から導入されるカードＣＡを第２従動ローラ１１２に引っ掛からないように案内できる。
【００９９】
また、この画像読取装置１では、第２従動ローラ１１２が付勢機構１７０に付勢されて下側カード案内面３２Ｊに接触しているので、第２導入口１２から導入されるカードＣＡが第２従動ローラ１１２に付勢されて下側カード案内面３２Ｊから浮き上がることなく好適に案内される。
【０１００】
さらに、この画像読取装置１では、第１従動ローラ１１１より合流位置Ｊ１側に位置する各リブ１８０の先端１８０Ｔが第１従動軸心Ｘ１１１より下側案内面３２Ｇに接近している。このため、この画像読取装置１では、第１導入口１１から導入されるシートＳＨ及び第２導入口１２から導入されるカードＣＡを各リブ１８０によって第２従動ローラ１１２に引っ掛からないように案内できる。
【０１０１】
以上において、本発明を実施例に即して説明したが、本発明は上記実施例に制限されるものではなく、その趣旨を逸脱しない範囲で適宜変更して適用できることはいうまでもない。
【符号の説明】
【０１０２】
１…画像読取装置、１１…第１導入口、１２…第２導入口、１３…排出口
ＳＨ、ＣＡ…媒体（ＳＨ…シート、ＣＡ…カード）
３０…筐体、１０…第１ガイド部、Ｊ１…合流位置、２０…第２ガイド部
５５…読取部、４０…搬送部、３２Ｊ…第２案内面（下側カード案内面）
３２Ｇ…第１下側案内面（下側案内面）、３１Ｇ…第１上側案内面（上側案内面）
Ｐ２…経路（第２搬送経路）、１１０、１１１、１１２、１７０…第１搬送部
１１０…駆動ローラ（カード用駆動ローラ）、１１１…第１従動ローラ
１１２…第２従動ローラ、１７０…付勢機構
Ｘ４１…駆動軸心、Ｘ１１１…第１従動軸心、Ｘ１１２…第２従動軸心
Ｌ１…第１距離、Ｌ２１…第２従動ローラと合流位置との距離
Ｌ２２…第２従動ローラと第２導入口との距離
１７１…アーム、１７２…被支持部、１７３…ローラ支持部
１７９…捩じりコイルバネ（付勢部材）、１７１Ａ…アームの対向面
Ｋ１…対向面を合流位置に向けて延長した仮想平面
１１１Ａ…第１従動ローラの外周面、１８０…リブ、１８０Ｔ…リブの先端
【図１】
2015048162.tif 000003
【図２】
2015048162.tif 000004
【図３】
2015048162.tif 000005
【図４】
2015048162.tif 000006
【図５】
2015048162.tif 000007
【図６】
2015048162.tif 000008
【図７】
2015048162.tif 000009
【図８】
2015048162.tif 000010
【図９】
2015048162.tif 000011
【図１０】
2015048162.tif 000012
【図１１】
2015048162.tif 000013
【図１２】
2015048162.tif 000014